(57)【要約】【課題】  ヘッドホン装置を装着した際におけるドライバユニットの位置ずれを防止すると共に、軽快な装着感を得られるようにする。【解決手段】  耳殻１１の表側部に当接させるドライバユニット２と、ドライバユニットに一端部を取り付けた連結部８と、連結部の他端部が連結された折曲部と、折曲部により折り曲げられ耳殻の上方部に対応する位置から耳殻の裏側部と耳殻の裏側部に対向する頭部の間に介在される部材を備え、該介在される部材と折曲部と連結部８とが合成樹脂により一体成形されて成る耳掛部１３を有するヘッドホン装置１において、ヘッドホン装置を装着した際に、耳掛部の介在される部材とドライバユニットとによって耳殻を弾性的に挟むようにした。【選択図】図４
2006109509.tif 000002
【特許請求の範囲】
【請求項１】
耳殻の表側部に当接させるドライバユニットと、該ドライバユニットに一端部を取り付けた連結部と、該連結部の他端部が連結された折曲部と、該折曲部により折り曲げられ耳殻の上方部に対応する位置から耳殻の裏側部と耳殻の裏側部に対向する頭部の間に介在される部材を備え、該介在される部材と上記折曲部と上記連結部とが合成樹脂により一体成形されて成る耳掛部を有するヘッドホン装置であって、
上記ヘッドホン装置を装着した際に、耳掛部の上記介在される部材と上記ドライバユニットとによって耳殻を弾性的に挟むようにした
ことを特徴とするヘッドホン装置。
【請求項２】
合成樹脂により成形され両端部が互いに弾性的に接離方向に移動可能にされた円弧状のヘッドバンドの上記両端部の少なくとも一方の端部に折曲部を介して外方に折り曲げられた連結部を一体に設け、該連結部の先端部にドライバユニットを取り付け、該ドライバユニットを上記折曲部によって上記ヘッドバンドに対し弾性的に接離方向に移動可能にしたヘッドホン装置であって、
上記ヘッドホン装置を装着した際に、上記ヘッドバンドの弾性によって頭部に保持させると共に、ヘッドバンドの上記一方の端部近傍部と上記ドライバユニットとによって耳殻を弾性的に挟むようにした
ことを特徴とするヘッドホン装置。
【発明の詳細な説明】
【技術分野】
【０００１】
本発明はヘッドホン装置に関し、装着性に優れると共に装着時における使用感を良好にする技術に関するものである。
【背景技術】
【０００２】
従来、弾性を有するヘッドバンドの両端にドライバユニットを保持し、ヘッドバンドが後頭部を回り込むような状態で頭部に装着するようにされたヘッドホン装置がある。
【０００３】
図６は上記したようなヘッドホン装置の一例を示すものであり、ヘッドホン装置ａはドライバユニットｂ、ｂ（図では一方のみ示す。）と、該ドライバユニットｂ、ｂを両端に保持したヘッドバンドｃとを有し、上記ドライバユニットｂ、ｂは、電気信号を音響振動に変換する為の適宜な電気音響変換手段をその内部に収納している。
【０００４】
ヘッドバンドｃは略帯状をした弾性を有する材料、例えば、金属製のバネ部材から成るものであり、その両端部にドライバユニットｂ、ｂが釣下げ状に保持されている。
【０００５】
しかして、ヘッドホン装置ａは、頭部ｄに後頭部ｅの側からヘッドバンドｃの両端部間の間隔を僅かに押し広げるようにして、ドライバユニットｂ、ｂと耳との位置を合わせ耳殻ｆ、ｆ（図では一方のみ示す。）にドライバユニットｂ、ｂが圧接された状態にして装着する。そして、この時、ヘッドホン装置ａは、ヘッドバンドｃの両端の一部が耳殻ｆ、ｆの上部を裏側から回り込むように位置する共にヘッドバンドｃの弾性によってドライバユニットｂ、ｂが耳殻ｆ、ｆに押し付けられ、これによって、耳殻ｆ、ｆをそれぞれヘッドバンドｃ、ｃとドライバユニットｂ、ｂとで緩く挟み込んだ状態となり、同時に、ヘッドバンドｃの中間部が後頭部ｅの側で首筋か襟に接触若しくは乗り掛かった状態となって、頭部ｄへの装着状態が保持される。
【発明の開示】
【発明が解決しようとする課題】
【０００６】
ところで、従来のヘッドホン装置ａにあっては、上記したように、ヘッドホン装置ａは装着時においては、ドライバユニットｂ、ｂは、ヘッドバンドｃの弾性と、ドライバユニットｂ、ｂとヘッドバンドｃの両端とが耳殻ｆ、ｆを挟み込むことによってその重量が支えられて保持されるが、ヘッドバンドｃは、中間部が後頭部ｅの側で後頭部ｅ、首筋又は襟に接触若しくは乗り掛かった状態となるだけで、その重量を積極的に支えるための構造がないものである。
【０００７】
従って、例えば、ヘッドホン装置ａの使用者の頭部の動きに伴ってヘッドバンドｃが服の襟等に触れたりしてヘッドバンドｃに応力が加わると、ヘッドバンドｃの位置が容易く変わってしまい、このヘッドバンドｃの動きに伴ってドライバユニットｂ、ｂと耳殻ｆ、ｆとの位置関係が変わってしまい、左右のドライバユニットｂ、ｂから聞こえる音の音量や音質が変わってしまったり、耳殻ｆ、ｆが不必要に圧迫されたりして使用者に違和感を感じさせるといった問題があった。
【０００８】
そこで、上記問題への対策として、ドライバユニットｂ、ｂとヘッドバンドｃとの間にヒンジ等を介在させ、上記したようなヘッドバンドｃの位置の変化がドライバユニットｂ、ｂに伝わらないようにすることが考えられる。
【０００９】
しかしながら、ヘッドホン装置ａは、ある程度の圧力でドライバユニットｂ、ｂ、が耳殻ｆ、ｆに圧接される必要があり、上記したように、ヒンジ等を  ドライバユニットｂ、ｂとヘッドバンドｃとの間に介在させた構造であると、ヘッドバンドｃの弾性による力がドライバユニットｂ、ｂに伝わりにくくなって、ドライバユニットｂ、ｂを耳殻ｆ、ｆに圧接させる力が弱くなってしまうことがあった。従って、ヘッドバンドｃの位置の変化によってドライバユニットｂ、ｂと耳殻ｆ、ｆとの関係を変えないようにすることと、ドライバユニットｂ、ｂを耳殻ｆ、ｆにある程度の圧力で圧接させる力を確保することとの両立が困難になり、上記問題点の根本的な解決とはならなかった。
【００１０】
また、ヘッドホン装置ａのように、ヘッドバンドｃを単純に金属製のバネ部材等の略帯状をした弾性を有する材料によって構成し、殆どヘッドバンドｃの弾性のみに頼ってヘッドホン装置ａの装着姿勢を保持するような構造であると、必然的にヘッドバンドｃの弾性を大きくしてドライバユニットｂ、ｂを耳殻ｆ、ｆに強く圧接させるようになってしまって、ヘッドホン装置ａの安定した装着状態を確保することと、ヘッドホン装置ａを個人差の大きい頭部や耳殻の形状に全て対応させながら長時間装着時における頭部ｄや耳殻ｆ、ｆへの負担を軽減することを両立させることが困難であった。
【００１１】
更に、ヘッドホン装置ａのように、ドライバユニットｂ、ｂとヘッドバンドｃの両端とが耳殻ｆ、ｆを挟み込むような構造では、ヘッドホン装置ａの装着時におけるドライバユニットｂ、ｂとヘッドバンドｃの両端との間のクリアランスを確保する機構がないため、装着前にはドライバユニットｂ、ｂとヘッドバンドｃの両端との間の間隔を耳殻ｆ、ｆよりも大きく広げておき、装着後に手探りでドライバユニットｂ、ｂとヘッドバンドｃの両端との間の間隔を調整する必要があり、装着に煩わしさが伴うものであった。
【課題を解決するための手段】
【００１２】
本発明ヘッドホン装置は、上記した課題を解決する為に、耳殻の表側部に当接させるドライバユニットと、該ドライバユニットに一端部を取り付けた連結部と、該連結部の他端部が連結された折曲部と、該折曲部により折り曲げられ耳殻の上方部に対応する位置から耳殻の裏側部と耳殻の裏側部に対向する頭部の間に介在される部材を備え、該介在される部材と折曲部と連結部とが合成樹脂により一体成形されて成る耳掛部を有するヘッドホン装置であって、ヘッドホン装置を装着した際に、耳掛部の介在される部材とドライバユニットとによって耳殻を弾性的に挟むようにしたものである。
【００１３】
また、本発明ヘッドホン装置は、合成樹脂により成形され両端部が互いに弾性的に接離方向に移動可能にされた円弧状のヘッドバンドの両端部の少なくとも一方の端部に折曲部を介して外方に折り曲げられた連結部を一体に設け、該連結部の先端部にドライバユニットを取り付け、該ドライバユニットを折曲部によってヘッドバンドに対し弾性的に接離方向に移動可能にしたヘッドホン装置であって、ヘッドホン装置を装着した際に、ヘッドバンドの弾性によって頭部に保持させると共に、ヘッドバンドの一方の端部近傍部とドライバユニットとによって耳殻を弾性的に挟むようにしたものである。
【発明の効果】
【００１４】
本発明によれば、ドライバユニットと他の部材とによって耳殻が弾性的に挟まれる構造であるため、ヘッドホン装置を装着した際におけるドライバユニットの位置ずれを防止すると共に、軽快な装着感を得ることが可能となる。
【発明を実施するための最良の形態】
【００１５】
本発明ヘッドホン装置の最良の形態を、図１乃至図５に従って説明する。
【００１６】
ヘッドホン装置１は一対のドライバユニット２、２と、該ドライバユニット２、２をその両端で支持するヘッドバンド３とを備えている。
【００１７】
尚、以下の説明において、前後左右の方向について述べるときは、図１における下方及び上方をそれぞれ前方及び後方とし、左方及び右方をそれぞれ右方及び左方とし、図３における上方及び下方をそのまま上下の方向とする。
【００１８】
ドライバユニット２、２はそれぞれ、略椀状を為すハウジング部４と略皿状をしたイヤパット部５がハウジング部４に取着されて成り、ハウジング部４、４の内部には電気信号を音響振動に変換する為の手段である図示しないスピーカ等が収納されている。そして、一方のドライバユニット２のスピーカには外部からコード６が接続されると共に、図示しない別のコードがヘッドバンド３の内部を通って他方のドライバユニット２内のスピーカに接続されている。
【００１９】
ヘッドバンド３は、断面形状で扁平な長円状を為す主部７と、該主部７の前方に位置した左端部７ａ及び右端部７ｂと、該左端部７ａ及び右端部７ｂに続いてドライバユニット連結部８、８とがポリプロピレン等の可撓性及び弾性を有する材料により一体に形成されて成る。
【００２０】
更に、ヘッドバンド３の主部７は、図４に示すように、一般的な人体の頭部９、特に後頭部１０の形状に合わせるように湾曲した形状とされ、これによってヘッドバンド３は全体的に略Ω字状を為すようになっている。
【００２１】
また、上記ヘッドバンド３の左端部７ａ及び右端部７ｂは全体的に上方に向かって湾曲するように形成され、耳殻１１、１１の上側に略沿うような形状とされている。
【００２２】
そして、ヘッドバンド３の左端部７ａ及び右端部７ｂには、後述する掛止体を取着するための下方に向かって開口したスリット１２、１２が形成されている。
【００２３】
ドライバユニット連結部８、８は、左端部７ｂ及び右端部７ｂの前端から斜め下方へと折り返されて後方に向かって変位する共にその先端に行くに従ってそれぞれヘッドバンド３との間の間隔が開くような形状に形成、即ち、その先端に行くに従ってそれぞれ左方及び右方に向かうような形状に形成され、その先端部がドライバユニット２、２の前方側に寄った位置でハウジング部４、４に連結され、イヤパット部５、５の耳殻１１、１１との当接面が斜め後方且つ稍上方を向くような状態でドライバユニット２、２を支持している。
【００２４】
掛止体１３、１３は前半部分である支持部１４、１４と後半部分である補助支持部１５、１５とが一体に形成されて成り、恰も眼鏡の蔓の先端部のように耳殻１１、１１の付け根部分に上方及び後方から引っ掛かり、ヘッドホン装置１の重量を支持すると共に安定した姿勢を維持する部材として機能するものである。また、上記掛止体１３、１３は、耳殻１１、１１やその付け根部分等の形状の個人差を吸収するため及びヘッドホン装置１の装着時における負担を軽減するために、前述したヘッドバンド３より軟らかい可撓性を有する材料、例えば、エラストマー等により形成されている。
【００２５】
支持部１４、１４は、角が丸められた突条状の形状を成し、耳殻１１、１１の上側付根部分１１ａ、１１ａに当接し、ヘッドバンド３の主部７を除くヘッドホン装置１の重量の殆どを支える部分である。
【００２６】
また、補助支持部１５、１５は、耳殻の後側付根部分１１ｂ、１１ｂに当接し、ヘッドバンド３の主部７がその重量によって、上記支持部１４、１４の前端を支点として垂れ下がってしまうことを阻止するための部分であり、その形状は全体的に撓み易くするために縁部を残して中抜き孔１５ａ、１５ａが設けられ、これによって、補助支持部１５、１５は、図３に破線で示すように撓みやすくなって、掛止体１３、１３の他の部分と比較して、より耳殻の後側付根部分１１ｂ、１１ｂに軟らかく当接することができるようになっている。尚、補助支持部１５、１５は下端部１５ｂ、１５ｂがそれぞれ、他の部分よりも右方若しくは左方、即ち、頭部９の側に変位するようにされ、ヘッドホン装置１の安定した装着状態を維持し易くなっている。
【００２７】
そして、掛止体１３、１３の上端には、厚みの薄い板状を為し、図３に示すように、ヘッドバンド３のスリット１２、１２に嵌合するための嵌合突条１６、１６が一体に形成されている。
【００２８】
以上に記載したような構造を為す掛止体１３、１３は、図１及び図３に示すように、上記嵌合突条１６、１６をスリット１２、１２内に挿入してヘッドバンド３の左端部７ａ及び右端部７ｂにそれぞれ固定する。すると、掛止体１３、１３は、ヘッドバンド３の左端部７ａ及び右端部７ｂの形状に沿って延びるように成ると共に、耳殻引掛け部１４、１４及び補助支持部１５、１５はそれぞれ、下方に行くに従って右方又は左方に変位するような状態となって吊り下げられた状態となる。そして、補助支持部１５、１５の下端部１５ｂ、１５ｂがそれぞれ、最も右方又は左方に突出した部分を形成する。
【００２９】
しかして、ヘッドホン装置１は頭部９に以下のようにして装着される。
【００３０】
即ち、ヘッドホン装置１は、図４に示すように、ドライバユニット２、２の一部を掴んで、ヘッドバンド３の左端部７ａと右端部７ｂ間の間隔を左右方向に広げながら後頭部１０の側から頭部９を間に挟むように位置させ、耳殻１１、１１をイヤパット部５、５と掛止体１３、１３との間の空間に入れるようにして、ヘッドバンド３の左端部７ａ及び右端部７ｂを耳殻１１、１１の稍上方の位置を通して全体的に前方に移動させる。
【００３１】
そして、掛止体１３、１３の補助支持部１５、１５が耳殻の後側付根部分１１ｂ、１１ｂに当接した時点で、支持部１４、１４を耳殻の上側付根部分１１ａ、１１ａに当接するように稍下方に全体を押し下げて掴んでいた手を離す。すると、撓まされていたヘッドバンド３が元へ戻る力によってドライバユニット２、２のイヤパット部５、５が耳殻１１、１１に側方から押し付けられ、同時に、イヤパット部５、５と耳殻１１、１１との位置関係が合った状態となって、ヘッドホン装置１の装着が完了する。
【００３２】
尚、ヘッドホン装置１の装着時においては、前述したように、ドライバユニット２、２は、ヘッドバンド３のドライバユニット連結部８、８によってイヤパット部５、５の耳殻１１、１１との当接面が斜め後方且つ稍上方を向くように支持されているため、図４に示すように、ドライバユニット２、２を掴み左右に軽く引くだけで、ヘッドバンド３とドライバユニット連結部８、８との折り返し部分が支点となりイヤパット部５、５と補助支持部１５、１５との間の間隔θが大きくなり、その間に耳殻１１、１１を入れ易くなる。
【００３３】
また、掛止体１３、１３はヘッドバンド３の左端部７ａ及び右端部７ｂよりも左方又は右方に突出しているが、可撓性を有する材料によって形成されているため容易に撓むことができ、上記装着時における抵抗となることはない。
【００３４】
更に、掛止体１３、１３の補助支持部１５、１５には中抜き孔１５ａ、１５ａが設けられているので、中抜き孔１５ａ、１５ａの周縁部が撓むことができるようになって、補助支持部１５、１５を形成する材料自体が持つ可撓性と併せて、個人差の大きい耳殻の後側付根部分１１ｂ、１１ｂの形状に適応し、ヘッドホン装置１の装着時において耳殻の後側付根部分１１ｂ、１１ｂに掛かる負担を軽減するようになっている。
【００３５】
尚、上記した最良の形態においては、ヘッドバンド３と掛止体１３、１３とを別体に形成したヘッドホン装置１を示したが、ヘッドバンド３と掛止体１３、１３を一体に形成しても良い。
【００３６】
また、上記した最良の形態において示した各部の具体的な形状及び構造は、何れも本発明を実施するに際しての具体化のほんの一例を示したものに過ぎず、これらによって本発明の技術的範囲が限定的に解釈されることがあってはならないものである。
【図面の簡単な説明】
【００３７】
【図１】図２乃至図５と共に、本発明ヘッドホン装置の最良の形態を示すものであり、本図は上方より見た状態の平面図である。
【図２】底面図である。
【図３】側面図である。
【図４】ヘッドホン装置の装着手順を上方から見た状態で示す図である。
【図５】ヘッドホン装置の装着状態をドライバユニットを外した状態で示す側面図である。
【図６】従来のヘッドホン装置の一例を示す側面図である。
【符号の説明】
【００３８】
１…ヘッドホン装置、２…ドライバユニット、３…ヘッドバンド、８…ドライバユニット連結部、９…頭部、１１…耳殻、１３…耳掛部
【図１】
2006109509.tif 000003
【図２】
2006109509.tif 000004
【図３】
2006109509.tif 000005
【図４】
2006109509.tif 000006
【図５】
2006109509.tif 000007
【図６】
2006109509.tif 000008